(57)【特許請求の範囲】
【請求項１】
複数のVoIP網間を相互接続するためのゲートウェイ装置であって、
VoIP網に対応する仕様の呼制御メッセージと、VoIP網に依らない仕様の呼制御メッセージである共通表現との間の変換処理を行うための変換ルールを各VoIP網に対応付けて格納する変換ルール格納手段と、
あるVoIP網から呼制御メッセージを受信した際に、受信した呼制御メッセージの送信元の呼制御装置のIPアドレスに基づき当該呼制御メッセージの送信元のVoIP網を特定し、当該VoIP網に対応する変換ルールを前記変換ルール格納手段から読み出し、当該変換ルールに従って前記呼制御メッセージを共通表現に変換するメッセージ受信変換手段と、
前記メッセージ受信変換手段により得られた共通表現を用いて呼制御処理を行う呼制御処理手段と、
前記呼制御処理手段により処理された共通表現に基づく呼制御メッセージの送信先となるVoIP網に対応する変換ルールを前記変換ルール格納手段から読み出し、当該変換ルールに従って前記共通表現を前記送信先のVoIP網に対応する仕様の呼制御メッセージに変換し、当該呼制御メッセージを前記送信先のVoIP網に送信するメッセージ変換送信手段と
を備えることを特徴とするゲートウェイ装置。
【請求項２】
前記共通表現は少なくとも送信元端末の識別情報と送信先端末の識別情報を含み、前記変換ルール格納手段に格納された変換ルールは、VoIP網毎に、前記共通表現に用いる送信元端末の識別情報を有するヘッダの名前と前記共通表現に用いる送信先端末の識別情報を有するヘッダの名前を含むことを特徴とする請求項１に記載のゲートウェイ装置。
【請求項３】
前記ゲートウェイ装置により相互接続される複数のVoIP網は、PSTNに接続された品質保証VoIP網と複数の品質非保証のインターネット電話網とを有することを特徴とする請求項１又は２に記載のゲートウェイ装置。
【請求項４】
前記ゲートウェイ装置は、識別子を用いた端末識別情報と、電話番号を用いた端末識別情報とを対応付けた対応表を格納する識別情報対応表格納手段を更に備え、
前記呼制御処理手段は、前記識別情報対応表格納手段に格納された対応表を参照することにより、前記共通表現における送信元端末の識別情報又は送信先端末の識別情報を変換する手段を備えることを特徴とする請求項１ないし３のうちいずれか１項に記載のゲートウェイ装置。
【請求項５】
前記呼制御処理手段は、呼接続要求元の端末と呼接続要求先の端末との間の音声通信が、前記ゲートウェイ装置内又は前記ゲートウェイ装置の外部に備えられた音声中継手段を介して行われるように呼制御処理を行うことを特徴とする請求項１ないし４のうちいずれか１項に記載のゲートウェイ装置。
【請求項６】
前記呼制御処理手段は、呼接続要求元の端末と呼接続要求先の端末との間の音声通信が端末間で直接行われるように呼制御処理を行うことを特徴とする請求項１ないし４のうちいずれか１項に記載のゲートウェイ装置。
【請求項７】
請求項１ないし６のうちいずれか１項に記載のゲートウェイ装置と、
前記ゲートウェイ装置に接続され、所定のVoIP網においてVoIPサービスを提供する呼制御装置と、
前記ゲートウェイ装置に接続され、PSTNと接続された品質保証VoIP網においてVoIPサービスを提供する呼制御装置と、
を備えたことを特徴とするVoIP網相互接続システム。
【請求項８】
複数のVoIP網間を相互接続するためのゲートウェイ装置であって、VoIP網に対応する仕様の呼制御メッセージと、VoIP網に依らない仕様の呼制御メッセージである共通表現との間の変換処理を行うための変換ルールを各VoIP網に対応付けて格納する変換ルール格納手段を備えたゲートウェイ装置が実行する通信方法であって、
あるVoIP網から呼制御メッセージを受信した際に、受信した呼制御メッセージの送信元の呼制御装置のIPアドレスに基づき当該呼制御メッセージの送信元のVoIP網を特定し、当該VoIP網に対応する変換ルールを前記変換ルール格納手段から読み出し、当該変換ルールに従って前記呼制御メッセージを共通表現に変換するメッセージ受信変換ステップと、
前記メッセージ受信変換ステップにより得られた共通表現を用いて呼制御処理を行う呼制御処理ステップと、
前記呼制御処理ステップにおいて処理された共通表現に基づく呼制御メッセージの送信先となるVoIP網に対応する変換ルールを前記変換ルール格納手段から読み出し、当該変換ルールに従って前記共通表現を前記送信先のVoIP網に対応する仕様の呼制御メッセージに変換し、当該呼制御メッセージを前記送信先のVoIP網に送信するメッセージ変換送信ステップと
を備えることを特徴とする通信方法。
【請求項９】
前記共通表現は少なくとも送信元端末の識別情報と送信先端末の識別情報を含み、前記変換ルール格納手段に格納された変換ルールは、VoIP網毎に、前記共通表現に用いる送信元端末の識別情報を有するヘッダの名前と前記共通表現に用いる送信先端末の識別情報を有するヘッダの名前を含むことを特徴とする請求項８に記載の通信方法。
【請求項１０】
前記ゲートウェイ装置により相互接続される複数のVoIP網は、PSTNに接続された品質保証VoIP網と複数の品質非保証のインターネット電話網とを有することを特徴とする請求項８又は９に記載の通信方法。
【請求項１１】
コンピュータを、複数のVoIP網間を相互接続するためのゲートウェイ装置として機能させるためのプログラムであって、コンピュータを、
VoIP網に対応する仕様の呼制御メッセージと、VoIP網に依らない仕様の呼制御メッセージである共通表現との間の変換処理を行うための変換ルールを各VoIP網に対応付けて格納する変換ルール格納手段、
あるVoIP網から呼制御メッセージを受信した際に、受信した呼制御メッセージの送信元の呼制御装置のIPアドレスに基づき当該呼制御メッセージの送信元のVoIP網を特定し、当該VoIP網に対応する変換ルールを前記変換ルール格納手段から読み出し、当該変換ルールに従って前記呼制御メッセージを共通表現に変換するメッセージ受信変換手段、
前記メッセージ受信変換手段により得られた共通表現を用いて呼制御処理を行う呼制御処理手段、
前記呼制御処理手段により処理された共通表現に基づく呼制御メッセージの送信先となるVoIP網に対応する変換ルールを前記変換ルール格納手段から読み出し、当該変換ルールに従って前記共通表現を前記送信先のVoIP網に対応する仕様の呼制御メッセージに変換し、当該呼制御メッセージを前記送信先のVoIP網に送信するメッセージ変換送信手段、
として機能させるためのプログラム。
【請求項１２】
前記共通表現は少なくとも送信元端末の識別情報と送信先端末の識別情報を含み、前記変換ルール格納手段に格納された変換ルールは、VoIP網毎に、前記共通表現に用いる送信元端末の識別情報を有するヘッダの名前と前記共通表現に用いる送信先端末の識別情報を有するヘッダの名前を含むことを特徴とする請求項１１に記載のプログラム。
【請求項１３】
前記ゲートウェイ装置により相互接続される複数のVoIP網は、PSTNに接続された品質保証VoIP網と複数の品質非保証のインターネット電話網とを有することを特徴とする請求項１１又は１２に記載のプログラム。
【発明の詳細な説明】
【技術分野】
【０００１】
本発明は、インターネット等のIP網上で電話サービスを提供する複数のVoIP網を相互接続するゲートウェイ装置に関するものである。
【背景技術】
【０００２】
近年、050番号や、固定電話と同様の０ＡＢ〜Ｊ番号を用いることができるIP電話サービスが広く普及してきている。このようなIP電話サービスでは一定の品質保証がなされており、そのことを前提に上記の電話番号が割り振られている。
【０００３】
一方、VoIP（voice over Internet protocol）の普及に伴い、品質保証がされないVoIPサービスが様々なサービス提供事業者によりインターネット上で提供されている。
【０００４】
なお、本明細書において、上記のように品質保証がされたIP電話サービスを050電話サービスと呼び、そのネットワークを050電話網又は品質保証VoIP網と呼ぶことにする。また、品質保証がされていないサービスをインターネット電話サービスと呼び、そのネットワークをインターネット電話網と呼ぶ。また、これらを総称したサービスをVoIPサービスと呼び、そのネットワークをVoIP網と呼ぶことにする。
【０００５】
上記のように現在、多くのVoIPサービスが存在し、もしこれらのVoIPサービスの相互接続ができれば、各サービスのユーザの通話可能範囲が広がり、ユーザの利便性が向上する。特に、一般電話網（PSTN:public switched telephone network）と接続している050電話網と、インターネット電話網との相互接続が実現すれば、インターネット電話網に接続された端末からPSTNに接続された端末に通話が可能になり、ユーザの利便性は大きく向上する。
【０００６】
さて、現在提供されているVoIPサービスはいずれも基本的にSIP技術に基づいており、技術的な共通基盤がある。しかしながら、これらの複数のVoIPサービスに係る各網は個別に存在し、相互接続はほとんど実現されていないのが現状である。
【非特許文献１】「IP時代における電気通信番号の在り方に関する研究会  第二次報告書」、平成１８年６月、総務省
【発明の開示】
【発明が解決しようとする課題】
【０００７】
上記のように複数のVoIPサービス間の相互接続のニーズがあるにも関わらず、それがほとんど実現されていない原因として、下記のように相互接続を実現するためのコストの問題がある。    
各社のVoIP網では、そこで用いられるSIPの仕様の細部が異なるため、単純に網を接続するだけでは網間で呼を疎通させることは困難である。このため、相互接続には、SIP仕様の差分を吸収するためのゲートウェイ装置が必要となる。しかしながら、あるVoIP網を他のN個のVoIP網と相互接続するには、N個のゲートウェイ装置が必要となり、大きなコストがかかってしまう。
【０００８】
本発明は上記の点に鑑みてなされたものであり、複数のVoIP網間を低コストで相互接続するための技術を提供することを目的とする。
【課題を解決するための手段】
【０００９】
上記の課題を解決するために、本発明は、複数のVoIP網間を相互接続するためのゲートウェイ装置であって、VoIP網に対応する仕様の呼制御メッセージと、VoIP網に依らない仕様の呼制御メッセージである共通表現との間の変換処理を行うための変換ルールを各VoIP網に対応付けて格納する変換ルール格納手段と、あるVoIP網から呼制御メッセージを受信した際に、受信した呼制御メッセージの送信元の呼制御装置のIPアドレスに基づき当該呼制御メッセージの送信元のVoIP網を特定し、当該VoIP網に対応する変換ルールを前記変換ルール格納手段から読み出し、当該変換ルールに従って前記呼制御メッセージを共通表現に変換するメッセージ受信変換手段と、前記メッセージ受信変換手段により得られた共通表現を用いて呼制御処理を行う呼制御処理手段と、前記呼制御処理手段により処理された共通表現に基づく呼制御メッセージの送信先となるVoIP網に対応する変換ルールを前記変換ルール格納手段から読み出し、当該変換ルールに従って前記共通表現を前記送信先のVoIP網に対応する仕様の呼制御メッセージに変換し、当該呼制御メッセージを前記送信先のVoIP網に送信するメッセージ変換送信手段とを備えることを特徴とするゲートウェイ装置として構成される。
【００１０】
前記共通表現は少なくとも送信元端末の識別情報と送信先端末の識別情報を含み、前記変換ルール格納手段に格納された変換ルールは、VoIP網毎に、前記共通表現に用いる送信元端末の識別情報を有するヘッダの名前と前記共通表現に用いる送信先端末の識別情報を有するヘッダの名前を含むこととしてもよい。
また、前記ゲートウェイ装置により相互接続される複数のVoIP網は、一実施形態において、PSTNに接続された品質保証VoIP網と複数の品質非保証のインターネット電話網とを有する。
【００１１】
また、前記ゲートウェイ装置は、識別子を用いた端末識別情報と、電話番号を用いた端末識別情報とを対応付けた対応表を格納する識別情報対応表格納手段を更に備えてもよく、前記呼制御処理手段は、前記識別情報対応表格納手段に格納された対応表を参照することにより、前記共通表現における送信元端末の識別情報又は送信先端末の識別情報を変換する手段を備えることとしてもよい。
【００１２】
また、前記呼制御処理手段は、呼接続要求元の端末と呼接続要求先の端末との間の音声通信が、前記ゲートウェイ装置内又は前記ゲートウェイ装置の外部に備えられた音声中継手段を介して行われるように呼制御処理を行うこととしてもよいし、前記呼制御処理手段は、呼接続要求元の端末と呼接続要求先の端末との間の音声通信が端末間で直接行われるように呼制御処理を行うこととしてもよい。
【００１３】
また、本発明は、上記ゲートウェイ装置と、当該ゲートウェイ装置に接続され、所定のVoIP網においてVoIPサービスを提供する呼制御装置（SIPサーバ）と、当該ゲートウェイ装置に接続され、PSTNと接続された品質保証VoIP網においてVoIPサービスを提供する呼制御装置とを備えたことを特徴とするVoIP網相互接続システムとして構成することもできる。
【００１４】
また、本発明は、上記ゲートウェイ装置の処理に対応する通信方法、及び、コンピュータを、上記ゲートウェイ装置の各手段として機能させるプログラムとして構成することもできる。
【発明の効果】
【００１５】
本発明によれば、VoIP網に対応する仕様の呼制御メッセージと、VoIP網に依らない仕様の呼制御メッセージである共通表現との間の変換処理を行うための変換ルールを各VoIP網に対応付けて格納する変換ルール格納手段をゲートウェイ装置に備え、あるVoIP網から呼制御メッセージを受信した際に、当該変換ルールに従って呼制御メッセージを共通表現に変換し、共通表現を用いて呼制御処理を行い、送信先のVoIP網に対応する変換ルールに従って共通表現を呼制御メッセージに変換し、当該呼制御メッセージを送信先のVoIP網に送信することとしたので、複数のVoIP網における呼制御メッセージの仕様差分を吸収することが可能となり、例えば、N個のVoIP網を相互に接続する場合でも、１つのゲートウェイ装置を設置すればよくなり、複数のVoIP網間を低コストで相互接続するための技術を提供することが可能となる。
【発明を実施するための最良の形態】
【００１６】
以下、図面を参照して本発明の実施の形態について説明する。なお、本実施の形態では、呼制御方式としてSIPを用いる例を示すが、本発明はSIP以外の呼制御方式にも適用できるものである。
【００１７】
（全体構成、動作概要）
図１に本発明の実施の形態に係るゲートウェイ装置を用いた相互接続網の構成例を示す。
【００１８】
図１に示すように、本実施の形態における相互接続網は、インターネット電話網A２、インターネット電話網B３、インターネット電話網C４、及び050電話網５が１つのゲートウェイ装置GW１に接続されて構成されている。また、050電話網５はPSTNゲートウェイ装置６を介してPSTN７に接続されている。なお、050電話網５とPSTN７との相互接続については既存技術を用いて実施することができる。
【００１９】
また、本実施の形態では、インターネット電話網A２ではSIPサーバA８がSIPを用いた呼制御処理を行い、インターネット電話網B３ではSIPサーバB９が呼制御処理を行い、インターネット電話網C４ではSIPサーバC１０が呼制御処理を行い、050電話網５ではSIPサーバ050(11）が呼制御処理を行っている。
【００２０】
また、050電話網５内では、送信元及び着信先を示す識別情報として050から始まる電話番号が用いられており、各インターネット電話網内では、送信元及び着信先を示す識別情報として050から始まる電話番号以外の情報（名前等であり、これを識別子と呼ぶことにする）が用いられているものとする。なお、以下では、煩雑さを避けるために、図１に示す装置、網に関しては、図１で用いられている参照番号を付さずに説明を記載することとする。
【００２１】
前述したように、各VoIP網においてはそこで使用されるSIPの仕様の細部が異なるのが一般的である。例えば、あるVoIP網（SIPサーバ）において送信元情報として使用する情報が記載されるSIPメッセージ内の場所（ヘッダ等）が、別のVoIP網でのSIPメッセージでは送信元情報を記載する場所として使用されていなかったり、あるVoIP網（SIPサーバ）ではSIPメッセージに記載しなければならないオプション情報が、別のVoIP網では用いないオプション情報であったりする。
【００２２】
そこで、本実施の形態におけるゲートウェイ装置GWは、上記のような仕様の差分を吸収し、共通的なSIP表現（共通SIP表現と呼ぶ）を用いることにより、VoIP網間でSIPに基づく呼制御処理を行うことを可能としている。
【００２３】
このような機能を有するゲートウェイ装置GWの動作の概要を図２を参照して説明する。図２は、SIPサーバAを有するインターネット電話網Aに接続された端末（端末Aとする）から、SIPサーバ050を有する050電話網における端末（050端末とする）に呼接続を行う場合の例を示している。
【００２４】
まず、インターネット電話網Aにおける端末Aが呼接続動作（電話をかける動作）を行うことにより、呼接続要求メッセージ（INVITEメッセージ）がSIPサーバAを介してゲートウェイ装置GWに送られる（ステップ１、ステップ２）。なお、SIPサーバAには、インターネット電話網A以外のVoIP網への呼接続についてはSIPメッセージをゲートウェイ装置GWに転送することが登録されており、その登録内容に基づき、端末Aから送られた呼接続要求メッセージをゲートウェイ装置GWに転送している。なお、この機能自体は通常のSIPサーバの中継機能に基づくものである。
【００２５】
ゲートウェイ装置GWに転送された呼接続要求メッセージは、ゲートウェイ装置GWに入力される。図２では、SIPサーバAから受信する当該呼接続要求メッセージは方路ａから入力されることが示されている。また、SIPサーバB、SIPサーバCに対応する方路ｂ、方路ｃもそれぞれ示されている。この"方路"は、ゲートウェイ装置GWに接続されるVoIP網のそれぞれに対応付けられた論理的なインタフェースであり、ゲートウェイ装置GWは、接続されるVoIP網を構成するSIPサーバのIPアドレスでこの方路を識別している。  
従って、図２における呼接続要求メッセージを受信する段階で、ゲートウェイ装置GWは、呼接続要求メッセージ（IPパケットのヘッダ等）に含まれている送信元IPアドレス（SIPサーバAのIPアドレス）に基づき方路aを識別している。
【００２６】
ゲートウェイ装置GWは、各方路毎（つまり、各VoIP網毎）に、そのVoIP網で使用されるSIPメッセージを、VoIP網の種類にかかわらず共通に使用する記述内容（これを共通SIP表現と呼ぶ）に変換するためのSIP変換テーブルを備えている。ゲートウェイ装置GWは、この共通SIP表現を用いて呼制御処理を行う。また、このSIP変換テーブルは、共通SIP表現をSIPメッセージ送出先の方路に対応するSIPメッセージに変換するためにも参照される。
【００２７】
図２に示すように、方路aにおいて呼接続要求メッセージを受信したゲートウェイ装置GWは、SIP変換テーブルを参照し、VoIP網AにおけるSIP仕様に従って構成された呼接続要求メッセージを、共通SIP表現に変換する（ステップ３）。
【００２８】
そして、ゲートウェイ装置GWは、共通SIP表現を用いて呼制御処理を行う（ステップ４）。この呼制御処理は、SIPプロトコルに基づくものであり、送信先情報に基づきメッセージ転送先のSIPサーバを決定したり、端末が音声通信を行うために必要な情報を端末に提供するためのメッセージの生成や転送を行う処理である。また、本実施の形態では、この呼制御処理の中で必要に応じて後述する番号変換処理を行っている。
【００２９】
その後、ゲートウェイ装置GWは、呼制御処理により決定した送出先の方路（この場合は、方路050）に基づき再度SIP変換テーブルを参照し、共通SIP表現を、転送先のVoIP網である050電話網のSIP仕様に従った呼接続要求メッセージに変換し（ステップ５）、当該呼接続要求メッセージをSIPサーバ050に送信する（ステップ６）。
【００３０】
呼接続要求メッセージはSIPサーバ050を介して050端末に送信される。その後、050端末からの応答が、SIPサーバ050、ゲートウェイ装置GW、SIPサーバAを経由して端末Aに返される。この場合も、ゲートウェイ装置GWでは、受信方路に基づきSIPメッセージを共通SIP表現に変換し、呼制御処理の後、送信方路に基づき共通SIP表現をSIPメッセージに変換して送出する。このようなメッセージのやりとりによって、各端末は相手端末との音声通信に必要な情報を取得し、端末間での音声通信がなされる。
【００３１】
また、ゲートウェイ装置GWにおける呼制御処理の形態としてB2BUA方式（RFC3261）を採用する場合には、ゲートウェイ装置GWは、SIPサーバAから受信した呼接続要求メッセージに対してはUAS（User Agent Server）としての応答をSIPサーバAを介して端末Aに送信するとともに、SIPサーバ050に送信した呼接続要求メッセージに対する応答をUAC（User Agent Client）として受信する。そして、ゲートウェイ装置GWと端末A間、及びゲートウェイ装置GWと050 端末間のそれぞれでメッセージのやりとりが行われることにより、音声通信に必要な情報の交換が行われ、端末と端末間での音声通信が可能となる。
【００３２】
図２の例では、インターネット電話網Aと050電話網間での呼接続処理について示したが、どのVoIP電話網の組み合わせでも図２に示した処理と同様の処理が行われる。以下、ゲートウェイ装置GWの構成と動作をより詳細に説明する。
【００３３】
（装置構成）
図３は、本実施の形態におけるゲートウェイ装置GWの機能構成図である。図３に示すように、本実施の形態におけるゲートウェイ装置GWは、SIPメッセージ処理部２１と音声中継部２２を有する。SIPメッセージ処理部２１は、あるVoIP網に接続された端末と別のVoIP網に接続された端末間で音声通話ができるようにするためにSIPメッセージの生成、送受信等を行う機能部である。音声中継部２２は、端末間での音声通信の中継を行うための機能部である。つまり、音声中継部２２は、あるVoIP網に接続された端末と音声通信を行うとともに、別のVoIP網に接続された端末と音声通信を行い、これらの音声通信を接続する機能を有している。また、音声中継部２２にはグローバルアドレスが付与されている。
【００３４】
なお、ゲートウェイ装置GWは必ずしも音声中継部２２を備える必要はない。また、音声中継部２２を、ゲートウェイ装置GWとは別の装置として備えることとしてもよい。
【００３５】
SIPメッセージ処理部２１は、SIPメッセージ送受信部２３、SIPメッセージ変換部２４、呼制御部２５、番号変換部２６、SIP変換テーブル２７、番号変換テーブル２８を有する。
【００３６】
SIPメッセージ送受信部２３は、ネットワークを介してSIPメッセージを送受信するための機能部である。SIPメッセージ変換部２４は、ゲートウェイ装置GWに接続されるVoIP網のSIPサーバからSIPメッセージを受信した場合に、当該SIPメッセージの送信元IPアドレス（送信元SIPサーバのIPアドレス）に基づき方路（受信方路）を判別し、その方路に対応するSIP変換ルールをSIP変換テーブル２７から取得し、そのルールに従って当該SIPメッセージを共通SIP表現に変換する機能、及び、ゲートウェイ装置GWに接続されるVoIP網のSIPサーバに対してSIPメッセージを送信する場合に、当該SIPメッセージの送信先となるIPアドレス（送信先SIPサーバのIPアドレス）に基づき方路（送信方路）を判別し、その方路に対応するSIP変換ルールをSIP変換テーブル２７から取得し、そのルールに従って共通SIP表現を送信先のVoIP網の仕様に適合したSIPメッセージに変換する機能を有する。
【００３７】
図４に、SIP変換テーブル２７の一例を示す。図４に示す例では、例えば、方路ａから受信するSIPメッセージについては、PAIヘッダ（P-Asserted-Identityヘッダ）の情報を送信元として抽出し、Toヘッダの情報からオプションパラメータを削除した情報を送信先として抽出し、これらの情報を用いて、少なくとも送信元と送信先を含む共通SIP表現を作成することを示している。また、方路ａへSIPメッセージを送信する場合は、PAIヘッダを設け、そこに共通SIP表現における送信元の情報を記載し、共通SIP表現における送信先の情報をToヘッダに付け、オプションパラメータを付加することによりSIPメッセージを作成する。もちろん、受信したSIPメッセージを共通SIP表現に変換したり、共通SIP表現から送信するSIPメッセージを作成する処理においては、上記のルール以外の他のルールも用いるが、基本的には上記の処理と同様の処理が各ルールを用いて行われることになる。また、SIPメッセージの中でVoIP網間での差異がない部分は、各VoIP網で用いられているSIPメッセージの情報をそのまま用いることとすればよい。
【００３８】
方路ｂ、方路050についても同様であり、例えば方路050へSIPメッセージを送信する場合は、共通SIP表現における送信元の情報をFromヘッダに記載し、共通SIP表現における送信先の情報をToヘッダに付け、更に"user=phone"という文字列を付加することによりSIPメッセージを作成する。なお、図４には、方路ｂから受信したSIPメッセージを共通SIP表現に変換する場合にX-Headerを削除し、方路ｂへSIPメッセージを送信する場合には、SIPメッセージにX-Headerを付加することも示されている。
【００３９】
なお、方路を識別する識別情報を設け、その識別情報とSIPサーバのIPアドレスとを対応付けてテーブルとして保持しておくことにより、IPアドレスから方路の識別情報（図４における"方路ａ"等）を判別し、それに基づきSIP変換テーブル２７を参照することとしてもよいし、方路の識別情報（図４における"方路ａ"等）そのものをIPアドレスとしてもよい。
【００４０】
図３における呼制御部２５は、SIPメッセージ変換部２４において変換された共通SIP表現を用いて呼制御処理を行う機能部である。ここでの呼制御処理は、共通SIP表現を通常のSIPメッセージとして見た場合におけるSIP中継サーバ（SIPプロキシサーバ、B2BUA機能を持つSIPサーバ等）の処理と基本的に同様である。ただし、本実施形態では、呼制御部２５は、番号変換部２６を利用して送信元情報又は送信先情報を、識別子を用いた情報から電話番号を用いた情報に変換したり、その逆の変換を行う機能を有している。この番号変換の具体例については後述する。
【００４１】
番号変換部２６は、呼制御部２５から送信元情報及び送信先情報を含む番号変換要求を受信することにより、当該送信元情報もしくは送信先情報に基づき番号変換テーブル２８を参照して、番号変換テーブル２８内にこれらの情報に対応する登録情報があれば変換を行い、変換後の情報を呼制御部２５に返す機能部である。
【００４２】
図５に、番号変換テーブル２８の一例を示す。図５の例では、ユーザ部に識別子を用いた、インターネット電話網でのSIP−URIと、ユーザ部に050番号を用いた、050電話網でのSIP-URIとが対応付けられて格納されている。
【００４３】
本実施の形態では、インターネット電話網のユーザは、本実施の形態に係るゲートウェイ装置GWを用いたVoIP網相互接続サービスを受けるに際して、050番号を割り当てられ、VoIP網間ではこの050番号でユーザ端末が識別され、いずれのVoIP網においても、VoIP網間の接続の場合には、050番号を用いて相手端末に呼接続することができる。また、050電話網に接続されているPSTNへは、いずれのVoIP網からでもPSTNの電話番号を用いて接続ができ、当該PSTNからは、ゲートウェイ装置GWに接続されているいずれのVoIP網へも050番号を用いて接続できる。
【００４４】
例えば、インターネット電話網Aに接続された端末Aから、050電話網に接続された050端末に呼接続する場合、端末Aからは送信先として050端末の050番号（SIP−URI）を含み、送信元として端末Aの識別子を有するSIP−URIを含む呼接続要求メッセージが送信される。そして、ゲートウェイ装置GWにおいて、送信先は図５の番号変換テーブル２８の右欄と比較されるが、050電話網に接続された端末についてはエントリーがないため番号変換は行われない。一方、送信元は左欄と比較され、エントリーがあり、識別子を有するSIP−URIは、050番号形式のSIP−URIに変換される。そして、変換後の番号情報を有する呼接続要求メッセージが050電話網に送信され、050端末には、送信元として050番号が通知されることになる。
【００４５】
また、例えば、インターネット電話網Aに接続された端末Aから、インターネット電話網Bに接続された端末Bに呼接続する場合、端末Aのユーザは相互接続網における端末Bの050番号を知っており、端末Aからは送信先として端末Bの050番号（SIP−URI）を含み、送信元として端末Aの識別子を有するSIP−URIを含む呼接続要求メッセージが送信される。そして、ゲートウェイ装置GWにおいて、送信先は図５の番号変換テーブル２８の右欄と比較され、エントリーがあるため、端末Bの050番号は、識別子を持つSIP−URI（インターネット電話網B内で使用されるもの）に変換される。また、送信元は左欄と比較され、エントリーがあり、識別子を有するSIP−URIは、050番号形式のSIP−URIに変換される。そして、変換後の番号情報を有する呼接続要求メッセージがインターネット電話網Bに送信され、端末Bには、送信元として端末Aの050番号が通知されることになる。
【００４６】
ゲートウェイ装置GWは、その各機能部の処理に対応するプログラムを、CPU、記憶装置等を有するコンピュータにインストールすることにより実現できる。上記各テーブルのデータは当該コンピュータの記憶装置に格納されるものである。また、ゲートウェイ装置GWが音声中継部２２を有さない構成である場合にも、ゲートウェイ装置GWは、SIPメッセージ処理部２１に対応するプログラムをコンピュータにインストールすることにより実現できる。
【００４７】
当該プログラムは、可搬メモリ等の記録媒体からコンピュータに読み込ませることもできるし、ネットワークを介してコンピュータにダウンロードすることもできる。
【００４８】
（ゲートウェイ装置GWの動作）
次に、ゲートウェイ装置GWの動作について詳細に説明する。以下の処理では、ゲートウェイ装置の呼制御部２５は呼制御に係る動作としてB2BUA（RFC3261）に基づく動作を行うものとする。
【００４９】
＜インターネット電話網Ａからの呼接続処理＞
まず、図６〜図８を参照して、インターネット電話網Aに接続される端末Aから050電話網に接続される050端末への呼接続処理について説明する。なお、050電話網に、PSTNゲートウェイ装置を介して接続されるPSTNの端末についても、便宜上050端末と呼ぶことにする。また、本例では、音声中継部２２が端末Ａと050端末間での音声通信を中継するものとする。つまり、呼制御処理において、端末Ａと音声中継部２２間で音声通信を行うとともに、050端末と音声中継部２２間で音声通信を行うために必要な情報交換等の処理が行われる。
【００５０】
図６に示すように、端末Aから送信されたINVITEメッセージは、SIPサーバAを介してゲートウェイ装置GWに到達し、それをゲートウェイ装置GWが受信する（ステップ１１）。SIPメッセージ変換部２４は、当該INVITEメッセージをSIPメッセージ送受信部２３を介して受信し、受信したINVITEメッセージの送信元のIPアドレスに基づき方路（方路a）を判別し、SIP変換テーブル２７を参照することにより、INVITEメッセージを共通SIP表現に変換する（ステップ１２）。
【００５１】
図７(a)に、この場合のINVITEメッセージの例を示し、図７(b)にこのINVITEメッセージから変換された共通SIP表現の一部を示す。SIPメッセージ変換部２４は、SIP変換テーブル（図４）における方路ａに対応するルールに従って、共通SIP表現における送信元情報として図７(a)に示すINVITEメッセージのP-Asserted-Identityヘッダの情報（sip:user9999@a.example.net）を採用し、送信先情報としてToヘッダの情報からオプションパラメータを削除した情報（sip:012345678@050.example.net）を採用する。これにより、図７(b)に示すような共通SIP表現が得られる。
【００５２】
続いて、呼制御部２５が、番号変換部２６を利用して共通SIP表現における番号変換を行う（ステップ１３）。番号変換テーブル２８（図５）には、user9999@a.example.netに対応して05099999999@050.example.netが記録されているので、番号変換部２６は、user9999@a.example.netを05099999999@050.example.netに変換し、変換後の送信元情報を呼制御部２５に渡す。これにより、共通SIP表現は図７(c)に示すものになる。なお、送信先情報012345678@050.example.netについては番号変換テーブル２８に登録がないので変換を行わない。また、送信元情報の番号変換は、着信先に送信元の端末に割り当てられた050番号を通知することを主な目的とするので、送信元情報が050番号形式（ドメインが050.example.netのもの）の場合には、送信元情報の変換を行わない。  
その後、呼制御部２５は、共通SIP表現に基づき、呼制御処理を行う（ステップ１４）。ここでの呼制御処理は、具体的には送受信するメッセージ（共通SIP表現）を生成することである。このメッセージの生成処理は、SIPプロトコルに基づき行うものであり、メッセージの種類、送信先の決定、端末間で音声通話を行うために必要な情報（SDP情報）の記述等を含むものである。  
図６に示すシーケンスの例では、B2BUAの動作を行うことを前提としているため、呼制御部２５は、SIPサーバAから受信したINVITEメッセージに対するレスポンス（応答）を共通SIP表現を用いて作成する。更に、呼制御部２５は、INVITEメッセージの共通SIP表現に基づき、呼接続先の端末（050端末）に送信する共通SIP表現に基づくINVITEメッセージを生成する。ここで、呼制御部２５は、当該メッセージにおける送信先情報012345678@050.example.netのドメイン名050.example.netから、呼接続要求先の端末が属するネットワークが050電話網であることを認識するので、上記共通SIP表現に基づくINVITEメッセージはSIPサーバ050宛（方路050）のメッセージになる。
【００５３】
そして、SIPメッセージ変換部２４は、方路ａに送出する共通SIP表現に基づく応答メッセージを、方路ａに対応する応答メッセージに変換して（ステップ１５）、それをSIPサーバAに送信する（ステップ１６）。また、SIPメッセージ変換部２４は、方路050に対応する変換ルールを用いて共通SIP表現に基づくINVITEメッセージを方路050に対応するINVITEメッセージに変換し（ステップ１７）、それをSIPサーバ050に送信する（ステップ１８）。なお、端末Aとゲートウェイ装置GW間のメッセージ通信と、050端末とゲートウェイ装置GW間のメッセージ通信とは非同期で行ってよい。他の例でも同様である。
【００５４】
この変換においては、図４の方路050に対応するルールに従って、図７(c)に示した共通SIP表現における送信元情報が、INVITEメッセージのFromの値として設定され、共通SIP表現における送信先情報がToの値として設定されるとともに、";user=phone"が付加される。このような変換が行われることにより、図７(d)に示すINVITEメッセージが生成され、SIPサーバ050に送信される。
【００５５】
なお、上記は端末とゲートウェイ装置GW間で送受信されるSIPメッセージの一部を示しており、実際には呼接続（音声通信に必要な情報の交換）に必要なだけのメッセージの送受信がSIPプロトコルに基づきなされる。ただし、どのようなメッセージでも、ゲートウェイ装置GWは、方路に対応したルールに基づくSIPメッセージの共通SIP表現への変換、及び、共通SIP表現のSIPメッセージへの変換を行っている。
【００５６】
次に、図８を参照して音声通信の経路について説明する。前述したように、本例では、ゲートウェイ装置GWの音声中継部２２が、端末Ａと050端末間での音声通信の中継を行う方式としている。従って、端末Ａとゲートウェイ装置GW間において上述したSIPに基づく呼制御処理を行うことにより、端末Ａは音声中継部２２と音声通信を行うために必要な情報（アドレス、ポート、メディア情報等）を取得するとともに、ゲートウェイ装置GWのSIPメッセージ処理部２１は、音声中継部２２が端末Aと音声通信を行うために必要な情報を取得し、同様に、050端末は音声中継部２２と音声通信を行うために必要な情報を取得するとともに、ゲートウェイ装置GWのSIPメッセージ処理部２１は、音声中継部２２が050端末と音声通信を行うために必要な情報を取得する（ステップ１００）。
【００５７】
そして、SIPメッセージ処理部２１は、上記のようにして得られた情報を音声中継部２２に渡すことにより、音声中継部２２に対して、音声中継命令を行う（ステップ１１０）。この音声中継命令に従って、音声中継部２２は、端末Ａからの音声パケット（UDPパケット）通信を終端し、050端末への音声パケットを生成し、それを050端末に送信する処理と、050端末からの音声パケット通信を終端し、端末Ａへの音声パケットを生成し、それを端末Ａに送信する処理を行う（ステップ１２０）。
【００５８】
＜インターネット電話網Bからの呼接続処理＞
次に、図９〜図１１を参照して、インターネット電話網Bに接続される端末Bから050電話網に接続される050端末への呼接続処理について説明する。本例でも、音声中継部２２が端末Bと050端末間での音声通信を中継するものとする。
【００５９】
図９に示すように、端末Bから送信されたINVITEメッセージは、SIPサーバBを介してゲートウェイ装置GWに到達し、それをゲートウェイ装置GWが受信する（ステップ２１）。SIPメッセージ変換部２４は、当該INVITEメッセージをSIPメッセージ送受信部２３を介して受信し、受信したINVITEメッセージの送信元のIPアドレスに基づき方路（方路b）を判別し、SIP変換テーブル２７を参照することにより、INVITEメッセージを共通SIP表現に変換する（ステップ２２）。
【００６０】
図１０(a)に、この場合のINVITEメッセージの例を示し、図１０(b)にこのINVITEメッセージから変換された共通SIP表現の一部を示す。SIPメッセージ変換部２４は、SIP変換テーブル（図４）における方路bに対応するルールに従って、共通SIP表現における送信元情報として図１０(a)に示すINVITEメッセージのFromの情報（sip:nick8888@b.example.net）を採用し、送信先情報としてToヘッダの情報を（sip:012345678@050.example.net）を採用するとともに、X-Headerを削除（無視）する。これにより、図１０(b)に示す表現を含む共通SIP表現が得られる。
【００６１】
続いて、呼制御部２５が、番号変換部２６を利用して、nick8888@b.example.netを05088888888@050.example.netに変換する(ステップ２３）。これにより、共通SIP表現は図１０(c)に示すものになる。
【００６２】
その後、呼制御部２５は、SIPサーバBから受信したINVITEメッセージに対するレスポンス（応答）を共通SIP表現を用いて生成し、SIPサーバ050（方路050）宛の共通SIP表現に基づくINVITEメッセージを生成する処理を含む呼制御処理を行う（ステップ２４）。
【００６３】
そして、SIPメッセージ変換部２４は、方路ｂに送出する共通SIP表現に基づく応答メッセージを、方路ｂに対応する応答メッセージに変換して（ステップ２５）、それをSIPサーバＢに送信する（ステップ２６）。また、SIPメッセージ変換部２４は、方路050に対応する変換ルールを用いて共通SIP表現に基づくINVITEメッセージを方路050に対応するINVITEメッセージに変換し（ステップ２７）、それをSIPサーバ050に送信する（ステップ２８）。
【００６４】
この変換においては、図４の方路050に対応するルールに従って、図１０(c)に示した共通SIP表現における送信元情報が方路050に対応するINVITEメッセージのFromの値として設定され、共通SIP表現における送信先情報がToの値として設定されるとともに、";user=phone"が付加される。このような変換が行われることにより、図１０(d)に示すINVITEメッセージが生成され、SIPサーバ050に送信される。
【００６５】
次に、図１１を参照して音声通信の経路について説明する。本例でも、前述した例と同様に、端末Bとゲートウェイ装置GW間において上述したSIPに基づく呼制御処理を行うことにより、端末Bは音声中継部２２と音声通信を行うために必要な情報を取得するとともに、ゲートウェイ装置GWのSIPメッセージ処理部２１は、音声中継部２２が端末Bと音声通信を行うために必要な情報を取得し、同様に、端末Bは音声中継部２２と音声通信を行うために必要な情報を取得するとともに、ゲートウェイ装置GWのSIPメッセージ処理部２１は、音声中継部２２が端末Bと音声通信を行うために必要な情報を取得する（ステップ２００）。
【００６６】
そして、SIPメッセージ処理部２１は、上記のようにして得られた情報を音声中継部２２に渡すことにより、音声中継部２２に対して、音声中継命令を行う（ステップ２１０）。この音声中継命令に従って、音声中継部２２は、端末Bからの音声パケット通信を終端し、050端末への音声パケットを生成し、それを050端末に送信する処理と、050端末からの音声パケット通信を終端し、端末Bへの音声パケットを生成し、それを端末Bに送信する処理を行う（ステップ２２０）。
【００６７】
＜インターネット電話網Ａからインターネット電話網Ｂへの接続処理＞
次に、図１２〜図１５を参照して、インターネット電話網Ａに接続された端末Aからインターネット電話網Ｂに接続された端末Bへの呼接続を行う場合の例について説明する。なお、この例では、端末Aのユーザは端末BのVoIP相互接続網における050番号を知っており、その050番号を用いて呼接続を行うものとする。
【００６８】
図１２に示すように、端末Aから送信されたINVITEメッセージは、SIPサーバAを介してゲートウェイ装置GWに到達し、それをゲートウェイ装置GWが受信する（ステップ３１）。SIPメッセージ変換部２４は、当該INVITEメッセージをSIPメッセージ送受信部２３を介して受信し、受信したINVITEメッセージの送信元のIPアドレスに基づき方路（方路a）を判別し、SIP変換テーブル２７を参照することにより、INVITEメッセージを共通SIP表現に変換する（ステップ３２）。
【００６９】
図１３(a)に、この場合のINVITEメッセージの例を示し、図１３(b)に、このINVITEメッセージから変換された共通SIP表現の一部を示す。SIPメッセージ変換部２４は、SIP変換テーブル（図４）における方路aに対応するルールに従って、共通SIP表現における送信元情報として図１３(a)に示すINVITEメッセージのP-Asserted-Identityヘッダの情報（sip:user9999@a.example.net）を採用し、送信先情報としてToヘッダの情報からオプションパラメータを削除した情報（sip:012345678@050.example.net）を採用する。これにより、図１３(b)に示す表現を含む共通SIP表現が得られる。
【００７０】
続いて、呼制御部２５が、番号変換部２６を利用して、user9999@a.example.netを05099999999@050.example.netに変換する。また、番号変換テーブル２８には、送信先情報05088888888@050.example.netに対応してnick8888@b.example.netが記録されているので、呼制御部２５は、05088888888@050.example.netをnick8888@b.example.netに変換する。これにより図１３(c)に示すような表現を含む番号変換後の共通SIP表現が得られる（ステップ３３）。
【００７１】
その後、呼制御部２５は、SIPサーバAから受信したINVITEメッセージに対するレスポンス（応答）を共通SIP表現を用いて生成し、SIPサーバB（方路ｂ）宛の共通SIP表現に基づくINVITEメッセージを生成する処理を含む呼制御処理を行う（ステップ３４）。ここでは、呼制御部２５は、INVITEメッセージの共通SIP表現における送信先情報nick8888@b.example.netにおけるドメイン名b.example.netから、呼接続要求先の端末が属するネットワークがインターネット電話網Bであることを認識し、SIPサーバB（方路b）宛の共通SIP表現に基づくINVITEメッセージを生成している。
【００７２】
そして、SIPメッセージ変換部２４は、方路aに送出する共通SIP表現に基づく応答メッセージを、方路aに対応する応答メッセージに変換して（ステップ３５）、それをSIPサーバAに送信する（ステップ３６）。また、SIPメッセージ変換部２４は、方路bに対応する変換ルールを用いて共通SIP表現に基づくINVITEメッセージを方路ｂに対応するINVITEメッセージに変換し（ステップ３７）、それをSIPサーバBに送信する（ステップ３８）。
【００７３】
この変換においては、図４の方路ｂに対応するルールに従って、図１３(c)に示した共通SIP表現における送信元情報が方路ｂに対応するINVITEメッセージのFromの値として設定され、共通SIP表現における送信先情報がToの値として設定されるとともに、X-Headerが付加される。このような変換が行われることにより、図１３(d）に示すINVITEメッセージが生成され、SIPサーバBに送信される。
【００７４】
次に、図１４を参照して音声通信の経路について説明する。基本的な処理は図８、図１１の場合と同様であり、端末Ａとゲートウェイ装置GW間において上述したSIPに基づく呼制御処理を行うことにより、端末Ａは音声中継部２２と音声通信を行うために必要な情報を取得するとともに、ゲートウェイ装置GWのSIPメッセージ処理部２１は、音声中継部２２が端末Aと音声通信を行うために必要な情報を取得する。同様に、端末Ｂは音声中継部２２と音声通信を行うために必要な情報を取得するとともに、ゲートウェイ装置GWのSIPメッセージ処理部２１は、音声中継部２２が端末Ｂと音声通信を行うために必要な情報を取得する（ステップ３００）。
【００７５】
そして、SIPメッセージ処理部２１は、上記のようにして得られた情報を音声中継部２２に渡すことにより、音声中継部２２に対して、音声中継命令を行う（ステップ３１０）。この音声中継命令に従って、音声中継部２２は、端末Aからの音声パケット通信を終端し、端末Bへの音声パケットを生成し、それを端末Bに送信する処理と、端末Bからの音声パケット通信を終端し、端末Aへの音声パケットを生成し、それを端末Aに送信する処理を行う（ステップ３２０）。
【００７６】
また、音声中継部２２を用いることなく端末間で音声通信を行うこととしてもよい。図１５にそのような場合における音声通信の経路を示す。この場合、上述したSIPに基づく呼制御処理において、端末Ａは端末Ｂと音声通信を行うために必要な情報を取得し、端末Ｂは端末Ａと音声通信を行うために必要な情報を取得し（ステップ４００）、互いに音声通信を行う。なお、図１５は、端末Ａと端末Ｂ間での音声通信の例を示しているが、端末Ａと050端末間、端末Ｂと050端末間でも同様の直接通信が可能である。
【００７７】
なお、図８、図１１、図１５に示すように、グローバルアドレスが付与された音声中継部２２により端末間の音声通信を中継する方式を採用することにより、いずれか又は両方の端末がNAT（Network Address Translation）装置の配下にある場合でも、端末間で音声通信を行える可能性が高くなるという効果がある。これは、一般に、端末がNAT装置の内側にある場合でも、当該端末とグローバルアドレスが付された装置間のパケット通信は問題なく行うことができる場合が多いからである。
【００７８】
（実施の形態の効果）
以上説明したように、本発明の実施の形態によれば、複数のVoIP網におけるSIPの仕様差分を吸収して呼制御処理動作を行うゲートウェイ装置GWを導入することとしたので、例えば、N個のVoIP網を相互に接続する場合でも、１つのゲートウェイ装置を設置すればよくなり、低コストで複数のVoIP網間の相互接続が可能となる。
【００７９】
また、本実施の形態では、PSTNに接続された品質保証網である050電話網とインターネット電話網とを相互接続している。つまり、上記ゲートウェイ装置を配置した一つの中継VoIP網（050電話網）を、他のVoIP網との間のハブとなる形態で相互接続を行っている。これにより、インターネット電話網のサービス提供者は、PSTNへの接続装置を設置しなくてもPSTNとの接続が可能となり、低コストで通話可能対象範囲を拡大することが可能となる。更に、ゲートウェイ装置を介して異なるインターネット電話網間の接続を行うことにより、それぞれの電話網のユーザにとって通話可能先の範囲が広がり、利便性が向上する。
【００８０】
本発明は、上記の実施の形態に限定されることなく、特許請求の範囲内において、種々変更・応用が可能である。    
【図面の簡単な説明】
【００８１】
【図１】本発明の実施の形態に係るゲートウェイ装置を用いた相互接続網の構成例である。
【図２】ゲートウェイ装置GWの動作の概要を説明するための図である。
【図３】ゲートウェイ装置GWの機能構成図である。
【図４】SIP変換テーブル２７の一例を示す図である。
【図５】番号変換テーブル２８の一例を示す図である。
【図６】インターネット電話網Aに接続される端末Aから050電話網に接続される050端末への呼接続処理を示すシーケンス図である。
【図７】図６に示す例におけるメッセージの例を示す図である。
【図８】図６に示す例における音声通信の経路を示す図である。
【図９】インターネット電話網Bに接続される端末Bから050電話網に接続される050端末への呼接続処理を示すシーケンス図である。
【図１０】図９に示す例におけるメッセージの例を示す図である。
【図１１】図９に示す例における音声通信の経路を示す図である。
【図１２】インターネット電話網Ａに接続された端末Aからインターネット電話網Ｂに接続された端末Bへの呼接続処理を示すシーケンス図である。
【図１３】図１２に示す例におけるメッセージの例を示す図である。
【図１４】図１２に示す例における音声通信の経路を示す図である。
【図１５】図１２に示す例における音声通信の経路の他の例を示す図である。
【符号の説明】
【００８２】
１  ゲートウェイ装置GW
２  インターネット電話網A
３  インターネット電話網B
４  インターネット電話網C
５  050電話網
６  PSTNゲートウェイ装置
７  PSTN
８  SIPサーバA
９  SIPサーバB
１０  SIPサーバC
１１  SIPサーバ050
２１  SIPメッセージ処理部
２２  音声中継部
２３  SIPメッセージ送受信部
２４  SIPメッセージ変換部
２５  呼制御部
２６  番号変換部
２７  SIP変換テーブル
２８  番号変換テーブル
【図１】
0005214318.tif 000002
【図２】
0005214318.tif 000003
【図３】
0005214318.tif 000004
【図４】
0005214318.tif 000005
【図５】
0005214318.tif 000006
【図６】
0005214318.tif 000007
【図７】
0005214318.tif 000008
【図８】
0005214318.tif 000009
【図９】
0005214318.tif 000010
【図１０】
0005214318.tif 000011
【図１１】
0005214318.tif 000012
【図１２】
0005214318.tif 000013
【図１３】
0005214318.tif 000014
【図１４】
0005214318.tif 000015
【図１５】
0005214318.tif 000016